(57)【要約】      （修正有）【課題】押圧部品と抵抗圧キットの設計により、弾道の調整をしやすくした弾道調整装置を提供する。【解決手段】弾道調整装置は、主に、内バルブパーツ１と、内バルブパーツ１に形成される少なくとも一つの可撓部１１と、可撓部１１上に設けられる少なくとも一つの押圧部品２と、押圧部品２に設けられる少なくとも一つの抵抗圧キット３と、抵抗圧キット３に連結されるとともに抵抗圧キット３と一緒に作動する少なくとも一つの伝動部品４と、伝動部品４に可動に設けられる少なくとも一つの調整部品５と、からなる。以上の構造により、使用者が内バルブパーツ１内に弾丸を配置し、調整部品５を回転させると、伝動部品４と調整部品５が連動するとともに、抵抗圧キット３が連動して回転する。また、抵抗圧キット３を回転させることにより、押圧部品２が内バルブパーツ１の可撓部１１を押圧し、弾丸が発射するときに回転が生じる。【選択図】図２
0003212721.tif 000002
【実用新案登録請求の範囲】
【請求項１】
弾道調整装置であって、
内バルブパーツと、
前記内バルブパーツに形成された少なくとも一つの可撓部と、
前記可撓部に設けられた少なくとも一つの押圧部品と、
前記押圧部品に設けられた少なくとも一つの抵抗圧キットと、
前記抵抗圧キットに連結されるとともに、前記抵抗圧キットと一緒に作動する少なくとも一つの伝動部品と、
前記伝動部品に可動に設けられるとともに、前記抵抗圧キットを調整することができる少なくとも一つの調整部品と、
からなることを特徴とする、弾道調整装置。
【請求項２】
前記調整部品には、少なくとも一つの第一位置決め部が形成され、前記伝動部品には、少なくとも一つの第二位置決め部が形成され、前記第二位置決め部と前記第一位置決め部は一緒に作動することを特徴とする、請求項１に記載の弾道調整装置。
【請求項３】
前記伝動部品には、外バルブパーツが設けられ、前記外バルブパーツには、前記内バルブパーツを固定する少なくとも一つの固定部品が形成され、前記外バルブパーツには、少なくとも一つの嵌合部が形成され、前記調整部品には少なくとも一つの凹溝部が形成されるとともに、前記外バルブパーツには、少なくとも一つの第一位置決め部と、前記第一位置決め部の一側に形成される少なくとも一つの第二位置決め部と、が形成され、また、前記調整部品には少なくとも一つの第一弾性部材が設けられ、前記第一弾性部材には少なくとも一つの第一当接部材が設けられ、前記第一当接部材と、前記第一位置決め部或いは前記第二位置決め部は、往復の位置決め動作を行い、さらに、前記外バルブパーツには少なくとも一つの第二弾性部材が設けられ、前記第二弾性部材には、少なくとも一つの第二当接部材が設けられ、前記伝動部品には、少なくとも一つの凸部が形成され、前記凸部と前記第二当接部材は一緒に作動する、ことを特徴とする、請求項１に記載の弾道調整装置。
【請求項４】
前記伝動部品には、少なくとも一つの第三位置決め部が形成され、前記抵抗圧キットには、少なくとも一つの第四位置決め部が形成され、前記第四位置決め部と前記第三位置決め部は一緒に作動することを特徴とする、請求項１に記載の弾道調整装置。
【考案の詳細な説明】
【技術分野】
【０００１】
本考案は、弾道調整装置に関し、特に、弾丸が発射する弾道を調整し、本物の銃に似た外観を有する弾道調整装置に関する。
【背景技術】
【０００２】
サバイバルゲームをより一層リアルなものにさせるため、プレイヤーは本物に似せたトイガンを追い求めようとする。しかしながら、トイガンに使用する弾は丸い弾丸であるため、トイガンのバレル内には本物の銃には装備されているライフリングが備わっておらず、銃弾を発射させる際螺旋回転を作り出すことができないため、軌道が安定しないという問題が生じてしまう。トイガンの正確性を期し、ＢＢ弾を圧縮させることで弾の発射時に回転を生み出すようにするため、中華民国特許Ｍ２９８１０９号の「トイガンの軌道修正装置」にあるように、摩擦弾丸に対し摩擦運動を利用することで、銃弾を発射させる時回転を生み出し、彈丸の発射軌道をより安定させる。
【０００３】
しかしながら、上述のトイガンの軌道修正装置を使用する際、下記の問題及び不備が確かに存在するため、今後の改善が待たれる。
【０００４】
ユーザーがツールを使用するときにならないと摩擦パーツと弾丸の接触面積を調整することができないため、使用の際に不便が生じてしまう。かつ、ユーザーがバレルを交換する時、バレル全体をホルダーに固定しないと取り外しができないため、取替が非常に面倒である。リアリティーを追求するのと同時に利便性の要求を満たすことができないでいる。
【先行技術文献】
【特許文献】
【０００５】
【特許文献１】中華民国特許Ｍ２９８１０９号明細書
【考案の概要】
【考案が解決しようとする課題】
【０００６】
本考案は、押圧部品と抵抗圧キットの設計により、弾道の調整をしやすくした弾道調整装置を提供することを目的とする。
【０００７】
また、本考案は、調整部品と伝動部品の設計により、本物の銃に似た外観を備えさせた弾道調整装置を提供することを目的とする。
【課題を解決するための手段】
【０００８】
本考案による弾道調整装置は、内バルブパーツを備え、前記内バルブパーツには少なくとも一つの可撓部が形成され、前記可撓部には少なくとも一つの押圧部品が形成され、前記押圧部品には少なくとも一つの抵抗圧キットが設けられ、前記弾道調整装置は、前記抵抗圧キットに連結されるとともに前記抵抗圧キットと一緒に作動する少なくとも一つの伝動部品を備える。
【考案の効果】
【０００９】
以上の構造により、使用者が内バルブパーツ内の可撓部に弾丸を配置し、使用者が彈丸の発射する弾道を調整したい時、前記調整部品を回転させると、前記伝動部品と前記調整部品が連動して回転するとともに、伝動部品によって抵抗圧キットが連動して回転する。また、抵抗圧キットを回転させることにより、押圧部品の位置を調整することができ、押圧部品が可撓部を押圧して、弾丸が発射するときに回転が生じ、弾丸が回転するときに上昇の浮力が生じることにより、地球の引力に抵抗するため、弾丸発射時に安定した軌道が生じる。
【図面の簡単な説明】
【００１０】
【図１】本考案の斜視図である。
【図２】本考案の分解図である。
【図３】本考案の図１Ａ−Ａ線の断面図である。
【図４】本考案の図１Ｂ−Ｂ線の断面図である。
【図５】本考案の調整部品の斜視図である。
【図６】本考案の作動を示した概略図１である。
【図７】本考案の作動を示した概略図２である。
【図８】本考案の作動を示した概略図３である。
【図９】本考案の作動を示した概略図４である。
【考案を実施するための形態】
【００１１】
図一から図五を参照する。図１から図５は、本考案の好ましい実施例の斜視図、分解図、Ａ−Ａ線の断面図、Ｂ−Ｂ線の断面図、調整部品の斜視図である。図から分かるように、本考案は、内バルブパーツ１と、少なくとも１つの押圧部品２と、少なくとも一つの抵抗圧キット３と、少なくとも一つの伝動部品４と、少なくとも一つの調整部品５と、外バルブパーツ６と、からなる。
【００１２】
内バルブパーツ１には、少なくとも一つの可撓部１１が形成され、且つ可撓部１１はゴム材質である。
【００１３】
押圧部品２は、可撓部１１に設けられる。抵抗圧キット３は、押圧部品２に設けられる。また抵抗圧キット３には、少なくとも一つの第四位置決め部３１が形成される。
【００１４】
伝動部品４は、前記抵抗圧キットに連結されるとともに、前記抵抗圧キット３と一緒に作動する。伝動部品４には少なくとも１つの第二位置決め部４１が設けられる。また、前記伝動部品には少なくとも一つの凸部４２が設けられ、伝動部品４には少なくとも一つの第三位置決め部４３が設けられる。
【００１５】
調整部品５は、前記伝動部品４に可動に設けられるとともに、前記抵抗圧キット３を調整する。前記調整部品５には、前記第二位置決め部４１と一緒に作動する少なくとも一つの第一位置決め部５１が形成される。
【００１６】
外バルブパーツ６は、伝動部品４に設けられる。外バルブパーツ６には、内バルブパーツ１を固定する少なくとも一つの固定部品６１が形成されるとともに、外バルブパーツ６には、少なくとも一つの嵌合部６２が形成され、調整部品５には、少なくとも一つの凹溝部５２が形成されるとともに、凹溝部５２は嵌合部６２に嵌合される。
【００１７】
外バルブパーツ６には少なくとも一つの第一位置決め部６３が形成され、第一位置決め部６３の一側は少なくとも一つの第二位置決め部６４が形成され、調整部品５には、少なくとも一つの第一弾性部材５３が設けられ、第一弾性部材５３には、少なくとも一つの第一当接部材５が設けられ、前記第一当接部材５４と、前記第一位置決め部６３或いは前記第二位置決め部６４は、往復の位置決め動作が行われる。
【００１８】
外バルブパーツ６には、少なくとも一つの第二弾性部材６５が設けられ、第二弾性部材６５には、凸部４２と一緒に作動する少なくとも一つの第二当接部材６６が設けられる。
【００１９】
図１から図９を参照する。図１から図９は、本考案の好ましい実施例の斜視図、分解図、図１Ａ−Ａ線の断面図、図１Ｂ−Ｂ線の断面図、本考案の調整部品の斜視図、及び、本考案の作動を示した概略図１、概略図２、概略図３、概略図４である。図から分かるように、使用者が彈丸７を内バルブパーツ１内の可撓部１１に対応する位置に置き、使用者が彈丸７が発射される弾道を調整したい時、調整部品５を外側に押し出し、それにより、第一当接部材５４が、第二位置決め部６４から第一位置決め部６３まで移動するととともに、調整部品５の第一位置決め部５１が、伝動部品４の第二位置決め部４１に位置決めされる。使用者が調整部品５を回転させると、伝動部品４も連動して回転し、伝動部品４の第三位置決め部４３は、抵抗圧キット３の第四位置決め部３１に位置決めされ、それにより、伝動部品４が回転する時、抵抗圧キット３が連動して回転する。また、前記抵抗圧キット３の内壁の押圧部品２にかけては、次第に縮小していく環状形態であるため、抵抗圧キット３を回転させることにより押圧部品２の位置を調整することができ、それにより、押圧部品２が可撓部１１に対して押圧する。且つ、前記可撓部１１はゴム材質であるため、可撓部１１が押圧された時、内バルブパーツ１内の彈丸７が圧迫されて、彈丸７が発射されると後ろ回転を呈し、彈丸７は発射して回転するため、彈丸７がマグヌス効果（Ｍａｇｎｕｓ  Ｅｆｆｅｃｔ）の影響を受ける。それにより、彈丸７は上方向への推力を受け、彈丸７が発射された時に安定した軌道が生じ、それにより、使用者の命中率が向上する。さらに、使用者が押圧部品２を適した押圧位置に調整した時、調整部品５を内側に引き戻すことで、第一当接部材５４を第一位置決め部６３から第二位置決め部６４に移動させることができ、前記第一弾性部材５３の弾力により、第一当接部材５４と前記第一位置決め部６３或は前記第二位置決め部６４が往復の位置決め動作を行い、少し力を加えると、第一弾性部材５３の弾力に抵抗して、調整部品５が誤って接触して移動するのを防ぐことができる。また、第二当接部材６６はパチンコ玉であり、伝動部品４が回転する時、第二弾性部材６５が第二当接部材６６に対して彈力を加えるため、第二当接部材６６が凸部４２に当接し、使用者が弾道を調整する時に跳ね返り感（振動を手に感じる）を生じさせ、それにより、使用者が調整する時の参考になり、使用者は、押圧部品２の可撓部１１内の彈丸７に対する押圧程度を調整することで、彈丸７が発射した後の軌道を変えることができる。また、内バルブパーツ１は、固定部品６１によって外バルブパーツ６内に挟まれて固定され、それにより、伝動部品４が回転する時、内バルブパーツ１が連動して回転しない。また、本実施例の調整部品５は防火帽形態である。それにより、使用者が弾道を調整した後、第一当接部材５４は、第一位置決め部６３から第二位置決め部６４に移動する時、調整部品５を回転させると、調整部品５の凹溝部５２が外バルブパーツ６の嵌合部６２に嵌合される。それにより、防火帽形態の調整部品５が同じ角度で元の位置に戻ることを確保でき、防火帽上の通気孔は上向きになり、使用者の正確性に影響がでることを避けることができる。���た、本実施例の調整部品５は防火帽であるが、これに限定されるものではない。例えば、バルブのスリーブにすることができ、並びに、本考案は銃身に直接取り付け取り外しすることができ、使用の際非常に便利である。このように、本考案は、利便性と本物に似た外観性を兼ね備えており、実用進歩性を達成している。
【符号の説明】
【００２０】
１    内バルブパーツ
１１  可撓部
２    押圧部品
３    抵抗圧キット
３１  第四位置決め部
４    伝動部品
４１  第二位置決め部
４２  凸部．
４３  第三位置決め部
５    調整部品
５１  第一位置決め部
５２  凹溝部
５３  第一弾性部材
５４  第一当接部材
６    外バルブパーツ
６１  固定部品
６２  嵌合部
６３  第一位置決め部
６４  第二位置決め部
６５  第二弾性部材
６６  第二当接部材
７    彈丸
【図１】
0003212721.tif 000003
【図２】
0003212721.tif 000004
【図３】
0003212721.tif 000005
【図４】
0003212721.tif 000006
【図５】
0003212721.tif 000007
【図６】
0003212721.tif 000008
【図７】
0003212721.tif 000009
【図８】
0003212721.tif 000010
【図９】
0003212721.tif 000011